(57)【要約】【課題】ローテーション補正コイルによるローテーション補正に起因するランディングずれを低減する。【解決手段】内部磁気シールド３と、ファンネル６の壁面にアノード端子９と、環状のローテーション補正コイル１とを備える陰極線管装置において、ローテーション補正コイル１とアノード端子９とを陰極線管の管軸と垂直な面に投影したときに、ローテーション補正コイル１がアノード端子９と重なるか、または、ローテーション補正コイル１の内側にアノード端子９が位置するように、ローテーション補正コイル１の大きさと形状とが設定されている。【選択図】  図２
2004312227.tif 000002
【特許請求の範囲】
【請求項１】
前面パネルとファンネルとからなる外囲器と、前記外囲器内に設けられた内部磁気シールドと、前記ファンネルのネック部内に設けられた電子銃と、前記ファンネルの壁面に設けられたアノード端子と、前記ファンネルの外部に設けられた環状のローテーション補正コイルとを備える陰極線管装置において、
前記磁気シールドの前記電子銃側の開口部は、水平軸方向に長い略長方形であり、
前記ローテーション補正コイルと前記アノード端子とを陰極線管の管軸と垂直な面に投影したときに、前記ローテーション補正コイルが前記アノード端子と重なるか、または、前記ローテーション補正コイルの内側に前記アノード端子が位置するように、前記ローテーション補正コイルの大きさと形状とが設定されていることを特徴とする陰極線管装置。
【請求項２】
前面パネルとファンネルとからなる外囲器と、前記外囲器内に設けられた磁気シールドと、前記ファンネルのネック部内に設けられた電子銃と、前記ファンネルの壁面に設けられたアノード端子と、前記ファンネルの外部に設けられたローテーション補正コイルとを備える陰極線管装置において、
前記磁気シールドの前記電子銃側の開口部は、水平軸方向に長い略長方形であり、
前記ローテーション補正コイルおよび前記磁気シールドを前記陰極線管管軸と垂直な面に投影したときに、前記ローテーション補正コイルの内側に前記磁気シールドの一部が存在しており、前記ローテーション補正コイルの内側に存在する前記磁気シールドの、前記水平軸よりも上側に位置する部分の面積と下側に位置する部分の面積とがほぼ等しくなるように、前記ローテーション補正コイルが配置されていることを特徴とする陰極線管装置。
【発明の詳細な説明】
【０００１】
【発明の属する技術分野】
本発明は陰極線管装置に関し、特に陰極線管が備えるローテーション補正コイルに関するものである。
【０００２】
【従来の技術】
陰極線管の管軸方向の地磁気は、画面全体を回転させる。図６は、陰極線管に北磁界がかかった時の画面の回転方向を示す。陰極線管に北磁界（図６（ａ）中の矢印で示す）がかかると、画面１０は管面正面から見た場合、反時計回りに回転する（図６（ｂ）中の破線１１で示す）。南磁界がかかった時の画面は、北磁界と反対の向きに回転する。
【０００３】
この画面の回転を補正するために、ローテーション補正コイルが一般的に用いられている。図４は、ローテーション補正コイル１と、陰極線管の内部に設けられた内部磁気シールド３（破線で示す）を、陰極線管の管軸と垂直な面に投影したときの位置関係を示す。内部磁気シールド３は、電子銃側に略長方形の開口部７を有する。ローテーション補正コイル１は、ほぼ円形のコイルである。ローテーション補正コイル１に直流の電流を供給し、陰極線管にかかっている地磁気と逆向きの磁界を発生させて、画面を反対向きに回転させて正常な画面としている（例えば特許文献１参照）。
【０００４】
【特許文献１】
特開２００２−７７９３３号公報
【０００５】
【発明が解決しようとする課題】
本発明者は、従来のローテーション補正コイルを用いると、ローテーションが補正される一方でランディングずれが助長されることを見出した。この問題は、図３に示すように、内部磁気シールド３の電子銃側開口部７が垂直軸方向よりも水平軸方向に長い略長方形となるのに伴い顕在化してきた。
【０００６】
本発明は、上記課題を解決するものであり、画面のローテーションを補正するローテーション補正コイルを備えている陰極線管において、ローテーション補正後のランディングずれを低減することを目的とする。
【０００７】
【課題を解決するための手段】
本発明の陰極線管装置は、前面パネルとファンネルとからなる外囲器と、前記外囲器内に設けられた内部磁気シールドと、前記ファンネルのネック部内に設けられた電子銃と、前記ファンネルの壁面に設けられたアノード端子と、前記ファンネルの外部に設けられた環状のローテーション補正コイルとを備える陰極線管装置において、前記磁気シールドの前記電子銃側の開口部は、水平軸方向に長い略長方形であり、前記ローテーション補正コイルと前記アノード端子とを陰極線管の管軸と垂直な面に投影したときに、前記ローテーション補正コイルが前記アノード端子と重なるか、または、前記ローテーション補正コイルの内側に前記アノード端子が位置するように、前記ローテーション補正コイルの大きさと形状とが設定されていることを特徴とする（請求項１）。
【０００８】
この構成により、ローテーション補正後のランディングずれを低減できる。
【０００９】
また、前面パネルとファンネルとからなる外囲器と、前記外囲器内に設けられた磁気シールドと、前記ファンネルのネック部内に設けられた電子銃と、前記ファンネルの壁面に設けられたアノード端子と、前記ファンネルの外部に設けられたローテーション補正コイルとを備える陰極線管装置において、前記磁気シールドの前記電子銃側の開口部は、水平軸方向に長い略長方形であり、前記ローテーション補正コイルおよび前記磁気シールドを前記陰極線管管軸と垂直な面に投影したときに、前記ローテーション補正コイルの内側に前記磁気シールドの一部が存在しており、前記ローテーション補正コイルの内側に存在する前記磁気シールドの、前記水平軸よりも上側に位置する部分の面積と下側に位置する部分の面積とがほぼ等しくなるように、前記ローテーション補正コイルが配置されている（請求項２）。
【００１０】
この構成により、ローテーション補正後のランディングずれを低減できる。
【００１１】
【発明の実施の形態】
以下、本発明の実施の形態について、図面を用いて説明する。
【００１２】
図１は、本発明の陰極線管装置の側面図である。陰極線管は前面パネル２とファンネル６とネック部５とで外囲器を構成する。ファンネル６の内部に、電子ビームへの地磁気の影響をシールドする内部磁気シールド３（破線で示す）を備え、ファンネル６の外壁面に、ファンネル６の内部に高電圧を供給するためのアノード電極９を備える。ファンネル６の外部に、画面ローテーションを補正するローテーション補正コイル１と、偏向電流を流して磁界を発生させ電子ビームを偏向走査する偏向ヨーク４とを備えている。
【００１３】
図３に示すように、内部磁気シールド３は４つの略台形の面から構成されており、前面パネル側と電子銃側にそれぞれ開口部を有する。電子銃側端部の４辺の内の２つの短辺には、前面側に向かう切り欠きが設けられている。内部磁気シールド３の電子銃側の開口部の形状は、陰極線管の管軸と垂直な平面に投影したときに、水平軸方向に長い略長方形である。
【００１４】
ローテーション補正コイル１にはリード線８が備えられており、リード線８を介してローテーション補正回路（図示せず）から直流電流を流すことで、管軸方向の地磁気による画面ローテーションを補正している。
【００１５】
図２は、本発明のローテーション補正コイルと内部磁気シールドとを、陰極線管管軸と垂直な平面に投影した図である。ローテーション補正コイル１の内側に、磁気シールド３の一部が存在している。ローテーション補正コイル１は、その上端部が、アノード電極９の位置と同じかまたは高いところに位置する。すなわち、ローテーション補正コイル１の外径が、図１に示す陰極線管管軸からの距離Ｈと等しいか、またはＨよりも大きい。また、ローテーション補正コイル１の内側に存在する磁気シールド３の部分の面積が、水平軸をはさんで上側と下側とでほぼ等しくなるように、ローテーション補正コイル１が配置されている。
【００１６】
本発明の作用について、図４、図５を用いて説明する。
【００１７】
図４に示すように、従来のローテーション補正コイル１と内部磁気シールド３の位置関係は、電子銃側開口部７のエッジ（内縁部）とローテーション補正コイル１の上下のエッジ（外縁部）との間の距離は、左右に比べて上下で近接したものとなっていた。このため、内部磁気シールド３の局所（ローテーション補正コイル１の近傍）において、図中の矢印で示すような磁界が強調される。ローテーション補正後にランディングずれが助長されてしまうのは、この磁界の局所的な集中に起因するものであると考えられる。
【００１８】
これに対して本発明によれば、図５に示すように（磁界の流れを矢印で示す）、ローテーション補正磁界が内部磁気シールド３全体に均等に流れるため、局所的な磁界の集中が緩和され、ローテーション補正後のランディングずれが低減されると考えられる。
【００１９】
なお、本発明による上記効果は、ローテーション補正コイルの内側に存在する磁気シールドの面積が水平軸の上側と下側とでほぼ等しくなるようにローテーション補正コイルを配置したときに得られる。種々の大きさの陰極線管に本発明を適用して効果を調べたところ、いずれの場合にも、ローテーション補正コイルがアノード端子と重なるか、または、ローテーション補正コイルの内側にアノード端子が位置するようにローテーション補正コイルを形成したときに、ランディングずれの抑制効果が最も高かった。
【００２０】
〔実験例〕
本発明について、次のような実験を行った。アスペクト比４：３の２９型陰極線管を使用し、管面に全面緑単色の信号を映し出す。次に、北磁界（図６）をかけてローテーション補正のない状態で消磁をかけ、そのあとランディングを測定しそれを基準とした。このとき、北磁界を０．５Ｇとした。次に、北磁界をかけたまま、ローテーション補正コイルによりローテーション補正をし、その後、消磁を行い、ランディングを測定した。このときのローテーション補正ありからローテーション補正なしのときのランディング測定値の差分をもって、評価を行った。
【００２１】
図７は、北磁界をかけたときの画面の回転方向と、ランディングの移動方向を示している。図７は画面を正面から見たときの図であるが、北磁界がかかったときには画面は反時計方向に回転し、そのときのランディング移動は画面回転に伴って、画面上部では左方向に、画面下部では右方向に移動する。
【００２２】
図８は、従来技術のローテーション補正コイルと、本発明のローテーション補正コイル（直径３０ｃｍ、アノード電極を）について実験を行ったときの測定値を示す。▲１▼が補正なしの場合を、▲２▼が従来技術により補正した場合を、▲３▼が本発明により補正した場合をそれぞれ示す。また、図９に差分のみの測定結果とランディング移動方向を示す。ここで「差分」とは、ローテーション補正したときのランディング移動量から、ローテーション補正をしないときのランディング移動量を引いた値である。図８の測定結果は、図７に示しているように、画面正面から見たときランディング移動量を、左方向を−、右方向を＋として見ている。
【００２３】
図８および図９の測定結果において、ローテーション補正ありからローテーション補正なしのときのランディング測定値の差分は、従来技術においては、ローテーション補正をかけているにもかかわらず、すなわち北磁界で回転している方向と反対に回転するように磁界を発生しているにもかかわらず、画面上部では−方向（左方向）であり、画面下部では＋方向（右方向）となり、基準値から北磁界による回転方向のランディング移動方向に移動していることがわかる。したがって、従来技術ではローテーション補正をかけているにもかかわらずランディング移動は北磁界による回転によるランディング移動と同方向でランディング移動を助長していることがわかる。
【００２４】
本発明においての、ローテーション補正ありからローテーション補正なしのときのランディング測定値の差分は、画面上部では＋方向（右方向）であり、画面下部では−方向（左方向）となり、基準値から北磁界による回転方向のランディング移動方向と逆方向に移動していることがわかる。したがって、本発明ではローテーション補正を行い、かつ、北磁界のランディングの移動も相殺できることがわかる。
【００２５】
【発明の効果】
以上説明したように本発明によれば、ローテーション補正コイルが、内部磁気シールドとの磁気作用が上下左右ともにバランスして作用する位置に設置されることにより、ローテーション補正後にランディングずれが助長されずに、ローテーションを補正することができる。
【図面の簡単な説明】
【図１】本発明の陰極線管装置の側面図
【図２】本発明のローテーション補正コイルと内部磁気シールドの位置関係を示す陰極線管の背面図
【図３】内部磁気シールドの斜視図
【図４】従来のローテーション補正コイルと内部磁気シールドの位置関係と、磁界の流れを示す図
【図５】本発明のローテーション補正コイルと内部磁気シールドの位置関係と、磁界の流れを示す図
【図６】北磁界をかけたときの画面の回転を示す図
【図７】北磁界をかけたときの画面の回転とランディング移動方向を示す図
【図８】ランディング測定結果を比較して示す図
【図９】ランディング差分値と移動方向を比較して示す図
【符号の説明】
１  ローテーション補正コイル
２  前面パネル
３  内部磁気シールド
４  偏向ヨーク
５  ネック部
６  ファンネル
７  電子銃側開口部
８  リード線
９  アノード電極
【図１】
2004312227.tif 000003
【図２】
2004312227.tif 000004
【図３】
2004312227.tif 000005
【図４】
2004312227.tif 000006
【図５】
2004312227.tif 000007
【図６】
2004312227.tif 000008
【図７】
2004312227.tif 000009
【図８】
2004312227.tif 000010
【図９】
2004312227.tif 000011